(57)【要約】【課題】直接倍率を調整することなく、複数枚の読み込ませた原稿に対して、条件を満たした出力画像を得ることが可能な画像処理装置、その方法、プログラム及びコンピュータ読取可能な記録媒体を提供する。【解決手段】原稿画像を読み込む読み込み手段と、画像のサイズ情報を検出するサイズ検出手段と、読み込まれた画像とサイズ情報とを蓄積する蓄積手段と、出力用紙サイズを設定する出力用紙サイズ設定手段と、原稿画像に対する出力画像の倍率の最小値を設定する倍率最小値設定手段と、出力用紙に集約する最大枚数制限値を設定する最大集約枚数設定手段と、を有し、倍率の最小値及び／又は最大集約枚数制限値と、原稿画像のサイズ情報と、出力用紙サイズと、に基づいて条件を満たす倍率を決定する。決定された倍率に基づいて、蓄積手段により蓄積された画像を出力する。【選択図】図３
2010004466.tif 000002
【特許請求の範囲】
【請求項１】
原稿画像を読み込む読み込み手段と、
前記読み込み手段により読み込まれた画像のサイズ情報を検出するサイズ検出手段と、
前記読み込み手段により読み込まれた画像と、前記サイズ検出手段により検出されたサイズ情報と、を蓄積する蓄積手段と、
出力用紙サイズを設定する出力用紙サイズ設定手段と、
前記原稿画像に対する出力画像の倍率の最小値を設定する倍率最小値設定手段と、
前記出力用紙に集約する最大枚数制限値を設定する最大集約枚数設定手段と、
前記倍率最小値設定手段により設定された倍率の最小値と、前記最大集約枚数設定手段により設定された最大集約枚数制限値と、の少なくとも１つと、前記サイズ検出手段により検出された原稿画像のサイズ情報と、前記出力用紙サイズ設定手段により設定された出力用紙サイズと、に基づいて条件を満たす倍率を決定する倍率決定手段と、を有し、
前記倍率決定手段により決定された倍率に基づいて、前記蓄積手段により蓄積された画像を出力することを特徴とする画像処理装置。
【請求項２】
記録媒体を接続する記録媒体接続手段をさらに有し、
前記倍率決定手段は、前記記録媒体に記憶された情報に基づいて倍率を決定することを特徴とする請求項１記載の画像処理装置。
【請求項３】
前記記録媒体は、前記倍率の最小値と、前記最大集約枚数制限値と、前記出力用紙サイズと、の少なくとも何れか１つを記憶していることを特徴とする請求項２記載の画像処理装置。
【請求項４】
選択入力を受付ける操作手段をさらに有し、
前記操作手段は、前記前記倍率の最小値と、前記最大集約枚数制限値と、前記出力用紙サイズと、の少なくとも何れか１つの設定入力を受付け、
前記操作手段により入力を受付けた設定は、前記記録媒体に記憶されることを特徴とする請求項２又は３に記載の画像処理装置。
【請求項５】
前記記録媒体は、前記倍率の最小値と、前記最大集約枚数制限値と、前記出力用紙サイズと、の少なくとも何れか１つの情報を複数記憶し、
前記操作手段は、前記記録媒体に記憶された複数の情報から何れを選択するかの選択入力を受付けることを特徴とする請求項２から４の何れか１項に記載の画像処理装置。
【請求項６】
前記倍率決定手段により決定された倍率は、一連の出力動作に共通して適用されることを特徴とする請求項１から５の何れか１項に記載の画像処理装置。
【請求項７】
出力用紙サイズを設定するステップと、
原稿画像に対する出力画像の倍率の最小値を設定するステップと、
前記出力用紙に集約する最大枚数制限値を設定するステップと、
原稿画像を読み込むステップと、
前記読み込むステップにより読み込まれた画像のサイズ情報を検出するステップと、
前記読み込むステップにより読み込まれた画像と、前記検出するステップにより検出されたサイズ情報と、を蓄積するステップと、
前記最小値を設定するステップにより設定された倍率の最小値と、前記制限値を設定するステップにより設定された最大集約枚数制限値と、の少なくとも１つと、前記検出するステップにより検出された原稿画像のサイズ情報と、前記サイズを設定するステップにより設定された出力用紙サイズと、に基づいて条件を満たす倍率を決定するステップと、を有し、
前記決定するステップにより決定された倍率に基づいて、前記蓄積するステップにより蓄積された画像を出力することを特徴とする画像処理方法。
【請求項８】
出力用紙サイズを設定する処理と、
原稿画像に対する出力画像の倍率の最小値を設定する処理と、
前記出力用紙に集約する最大枚数制限値を設定する処理と、
原稿画像を読み込む処理と、
前記読み込む処理により読み込まれた画像のサイズ情報を検出する処理と、
前記読み込む処理により読み込まれた画像と、前記検出する処理により検出されたサイズ情報と、を蓄積する処理と、
前記最小値を設定する処理により設定された倍率の最小値と、前記制限値を設定する処理により設定された最大集約枚数制限値と、の少なくとも１つと、前記検出する処理により検出された原稿画像のサイズ情報と、前記サイズを設定する処理により設定された出力用紙サイズと、に基づいて条件を満たす倍率を決定する処理と、をコンピュータに実行させ、
前記決定する処理により決定された倍率に基づいて、前記蓄積する処理により蓄積された画像を出力することをコンピュータに実行させるプログラム。
【請求項９】
請求項８記載のプログラムを記録したコンピュータ読取可能な記録媒体。
【発明の詳細な説明】
【技術分野】
【０００１】
本発明は、集約機能を有する画像処理装置、その方法、プログラム及びコンピュータ読取可能な記録媒体に関する。
【背景技術】
【０００２】
近年、複写機の操作性を向上させるために、様々な改善が行われているが、複写機において倍率の設定を間違え、所望のコピー出力得られない場合があるという問題がある。その問題を解決するために、例えば、圧板が開状態の時、ユーザのキー操作に応答して、スキャナのキャリッジを移動し、表示ランプ群Ｌ１、Ｌ２の表示位置、又は可動標識Ａ１〜Ａ４の位置を更新する。又はコンタクトガラスに設けた液晶表示器の表示枠の大きさを更新する。そして、これらの指示する位置が示す領域ＡＲＥＡを、原稿画像読取領域およびコピー画像出力領域に指定する。この指定された領域の大きさ基づいて、コピー倍率を自動的に計算し、そのコピー倍率でコピーを形成する技術が開示されている（例えば、特許文献１）。これにより、コンタクトガラス上でのオペレ−タの原稿位置決めを簡単にし、コピー倍率の調整を自動化することが可能となる。
【特許文献１】特開平０７−１５２２３１号公報
【発明の開示】
【発明が解決しようとする課題】
【０００３】
しかし、上述した技術では、複数枚の原稿を処理する場合については考慮されていない。本発明はこのような実情を鑑みてなされたものであり、直接倍率を調整することなく、複数枚の読み込ませた原稿に対して、条件を満たした出力画像を得ることが可能な画像処理装置、その方法、プログラム及びコンピュータ読取可能な記録媒体を提供することを目的とする。
【課題を解決するための手段】
【０００４】
本発明の画像処理装置は、原稿画像を読み込む読み込み手段と、読み込み手段により読み込まれた画像のサイズ情報を検出するサイズ検出手段と、読み込み手段により読み込まれた画像と、サイズ検出手段により検出されたサイズ情報と、を蓄積する蓄積手段と、出力用紙サイズを設定する出力用紙サイズ設定手段と、原稿画像に対する出力画像の倍率の最小値を設定する倍率最小値設定手段と、出力用紙に集約する最大枚数制限値を設定する最大集約枚数設定手段と、倍率最小値設定手段により設定された倍率の最小値と、最大集約枚数設定手段により設定された最大集約枚数制限値と、の少なくとも１つと、サイズ検出手段により検出された原稿画像のサイズ情報と、出力用紙サイズ設定手段により設定された出力用紙サイズと、に基づいて条件を満たす倍率を決定する倍率決定手段と、を有し、倍率決定手段により決定された倍率に基づいて、蓄積手段により蓄積された画像を出力することを特徴とする。
【０００５】
本発明の画像処理装置は、記録媒体を接続する記録媒体接続手段をさらに有し、倍率決定手段は、記録媒体に記憶された情報に基づいて倍率を決定することを特徴とする。
【０００６】
本発明の画像処理方法は、出力用紙サイズを設定するステップと、原稿画像に対する出力画像の倍率の最小値を設定するステップと、出力用紙に集約する最大枚数制限値を設定するステップと、原稿画像を読み込むステップと、読み込むステップにより読み込まれた画像のサイズ情報を検出するステップと、読み込むステップにより読み込まれた画像と、検出するステップにより検出されたサイズ情報と、を蓄積するステップと、最小値を設定するステップにより設定された倍率の最小値と、制限値を設定するステップにより設定された最大集約枚数制限値と、の少なくとも１つと、検出するステップにより検出された原稿画像のサイズ情報と、サイズを設定するステップにより設定された出力用紙サイズと、に基づいて条件を満たす倍率を決定するステップと、を有し、決定するステップにより決定された倍率に基づいて、蓄積するステップにより蓄積された画像を出力することを特徴とする。
【０００７】
本発明のプログラムは、出力用紙サイズを設定する処理と、原稿画像に対する出力画像の倍率の最小値を設定する処理と、出力用紙に集約する最大枚数制限値を設定する処理と、原稿画像を読み込む処理と、読み込む処理により読み込まれた画像のサイズ情報を検出する処理と、読み込む処理により読み込まれた画像と、検出する処理により検出されたサイズ情報と、を蓄積する処理と、最小値を設定する処理により設定された倍率の最小値と、制限値を設定する処理により設定された最大集約枚数制限値と、の少なくとも１つと、検出する処理により検出された原稿画像のサイズ情報と、サイズを設定する処理により設定された出力用紙サイズと、に基づいて条件を満たす倍率を決定する処理と、をコンピュータに実行させ、決定する処理により決定された倍率に基づいて、蓄積する処理により蓄積された画像を出力することをコンピュータに実行させる。
【０００８】
本発明のコンピュータ読取可能な記録媒体は、上記プログラムを記録したコンピュータ読み取り可能な記録媒体である。
【発明の効果】
【０００９】
本発明によれば、読み込ませた画像に対して、条件を満たした出力画像を容易に得ることが可能となる。
【発明を実施するための最良の形態】
【００１０】
以下に本発明の実施形態の例について、図面を用いて詳細に説明する。
【００１１】
図１は、本実施形態に係る画像処理装置の構成例を示すブロック図である。本実施形態では、画像処理装置の一例として、複写機を挙げて説明する。図示するように、本実施形態に係る複写機は、スキャナユニット１０１、画像処理ユニット１０２、書き込み制御装置１０３、コントローラ１０４、操作部１０５、を備える。
【００１２】
スキャナユニット１０１は、原稿を読み込み、読み込んだ画像に応じたデジタルデータを、画像処理ユニット１０２に渡す。画像処理ユニット１０２は、スキャナユニット１０１からの画像データ及び書き込み処理ユニット１０３に出力する画像データに対し、公知の画像処理を行う。また、ここでは原稿サイズ検知も行う。
【００１３】
書き込み処理装置１０３は、プロッタ制御を行う装置であり、画像処理ユニット１０２から受け取った画像データを印字出力する。コントローラ１０４は、全体の制御を行う。操作部１０５は、ユーザからのキー入力や、ユーザへの表示出力を行う。
【００１４】
図２は、本実施形態に係る画像処理装置のコントローラ１０４の構成例を示す。図示するように、本実施形態に係る複写機のコントローラ１０４は、ＣＰＵ（Central Processing Unit）２０１、コントローラＡＳＩＣ（Application Specified IC）２０２、ＲＡＭ（Random Access Memory）２０３、ＲＯＭ（Read-Only Memory）２０４、ＨＤＤ（Hard Disk Drive）２０５、ネットワークインターフェース（Ｉ／Ｆ）２０６、操作部Ｉ／Ｆ２０７、ＵＳＢ（Universal Serial Bus） Ｉ／Ｆ２０８、を備える。
【００１５】
ＣＰＵ２０１は、ＲＯＭ２０４に記憶されているプログラムやデータをもとに、ＲＡＭ２０３やＨＤＤ２０５などを使用して動作する。コントローラＡＳＩＣ２０２は、ＣＰＵ２０１からのＲＡＭ２０３やＲＯＭ２０４など各種デバイスに対するアクセス要求を調停し実行する。また、ネットワーク制御、操作部制御、ＲＯＭ制御、ＲＡＭ制御、ＨＤＤ制御、ＵＳＢ制御などの機能も備える。ＲＡＭ２０３は、ＣＰＵ２０１のワークスペースとして使用したり、画像データを記憶したりする。ＲＯＭ２０４は、ＣＰＵ２０１が実行するプログラムなどが記憶されている。ＨＤＤ２０５は、画像データやＣＰＵ２０１のデータ、及び、各種パラメータを記憶する。
【００１６】
ネットワークＩ／Ｆ２０６は、ＰＣ（Personal Computer）や他の機器とネットワークを介して接続するためのＩ／Ｆである。操作部Ｉ／Ｆ２０７は、操作部１０５とのＩ／Ｆを行う。ＵＳＢ Ｉ／Ｆ２０８は、記憶媒体を接続することができる。
【００１７】
（実施形態１）
図３は、本実施形態に係る画像処理装置において複数枚の原稿を集約コピーする場合の処理の流れの例を示す。本実施形態では、５枚の原稿を集約コピーする場合を例に挙げて、複数枚の原稿を集約コピーする場合の処理の流れについて、図３に示すフローチャートを用いて説明する。
【００１８】
まず、操作部１０５からのキー入力より、自動倍率設定モードが選択されたか否かを判断する（ステップＳ３０１）。自動倍率設定モードが選択された場合（ステップＳ３０１／ＹＥＳ）は、キー入力により、原稿画像に対する出力画像の倍率の最小制限設定値である倍率の最小値設定入力を受付ける（ステップＳ３０２）。ここでは、５０％を設定する場合を例に挙げる。次に、キー入力により、出力用紙に集約する最大枚数に対する制限値である最大集約枚数設定の入力を受付ける（ステップＳ３０３）。ここでは、３枚を設定する場合を例に挙げる。さらに、キー入力により、出力用紙サイズ設定の入力を受付ける（ステップＳ３０４）。ここでは、Ａ４を設定する場合を例に挙げる。
【００１９】
次に、スキャナユニット１０１から、５枚の原稿を読み込ませ（ステップＳ３０５）、原稿画像サイズの検出を行う（ステップＳ３０６）。ここで、複写機がＡＤＦ（オートドキュメントフィーダ）を備える場合には、ＡＤＦに原稿をセットして、操作部１０５からスタートボタンを押すことで、原稿を読み込ませても良い。また、１枚１枚原稿台に設置して、操作部１０５からスタートボタンを押すことで読み込ませても良い。１枚１枚読み込ませる場合には、一連の原稿の最後を知らせる必要があるので、最後の原稿を読み込ませた後、操作部１０５から最後の原稿を読み込ませたことを示すキーを押す。
【００２０】
上記のように、５枚の原稿を読み込ませ、画像処理ユニット１０２に画像データを送信する。画像データを受信した画像処理ユニット１０２は、公知の画像処理を行い（ステップＳ３０７）、コントローラ１０４に原稿画像のサイズ情報とともに画像データを送る。原稿のサイズ情報等の画像情報を受信したコントローラ１０４では、まず、ＲＡＭ２０３及びＨＤＤ２０５に画像情報を記憶させる（ステップＳ３０８）。
【００２１】
次に、一連の原稿の最後を知らせる信号を検知したか否かを判断する（ステップＳ３０９）。最後の原稿を知らせる信号を検知しない場合は（ステップＳ３０９／ＮＯ）、原稿がなくなるまで上述したステップＳ３０５〜ステップＳ３０９の処理を繰り返し行う。一方、最後の原稿を知らせる信号を検知した場合（ステップＳ３０９／ＹＥＳ）は、それまで受け取った原稿のサイズ情報と、上記ステップＳ３０２、ステップＳ３０３及びステップＳ３０４で設定した倍率の最小値設定（５０％）、最大集約枚数設定（３枚）、出力用紙サイズ（Ａ４）の情報から倍率を決定する（ステップＳ３１０）。
【００２２】
ここで、説明を簡潔にするために、読み込んだ原稿のサイズの最大値サイズをＡ４であるとすると、出力と最大原稿サイズが同一であるので、その他の条件だけを変更すればよい。倍率の最小値設定（５０％）、最大集約枚数設定（３枚）を、出力用紙を最大に使用する条件で満たすものは、５０％の縮小率となるので、そのことをコントローラ１０４が判断し、５０％に縮小して、２枚の原稿を１枚に集約して出力する（ステップＳ３１１）。
【００２３】
上記ステップＳ３０１で自動倍率設定モードを選択しない場合（ステップＳ３０１／ＮＯ）には、集約することなく出力を行う（ステップＳ３１１）。
【００２４】
以上により、ユーザの所望する集約印刷が、直接倍率を設定することなく、実行することが可能となる。尚、上述した実施形態１では、倍率最小値、最大集約枚数、出力用紙サイズの順に設定を行う例を示したが、特にこれに限定されるものではなく、例えば、設定する順番を、出力用紙サイズ、倍率最小値、最大集約枚数の順にしても良い。
【００２５】
また、集約できる条件を満たさない場合には、集約することなく出力することが可能である。さらに、上述した縮小倍率の制限に関する情報設定や、出力用紙に関する情報は、デフォルト値を選択することも可能である。さらに、上述した縮小倍率の制限に関する情報設定は、倍率の最小値と最大集約枚数との何れかでも、又は両方でも適用することが可能である。
【００２６】
さらに、本実施形態では、一連のコピー動作における倍率を同一の値で実施するので、ページ毎に倍率がばらばらになり、見栄えが悪くなってしまうとこと防ぐことが可能となる。
【００２７】
（実施形態２）
図４は、本実施形態に係る画像処理装置において、記録媒体に記憶された情報に基づき、複数枚の原稿を集約コピーする場合の処理の流れの例を示す。本実施形態では、５枚の原稿を記録媒体に記憶された情報に基づき集約コピーする場合を例に挙げて、複数枚の原稿を集約コピーする場合の処理の流れについて、図４に示すフローチャートを用いて説明する。
【００２８】
まず、自動倍率設定モードが選択されたか否かを判断し（ステップＳ４０１）、自動倍率設定モードが選択された場合（ステップＳ４０１／ＹＥＳ）は、ＵＳＢ Ｉ／Ｆ２０８に記録媒体が接続されているかを判断する（ステップＳ４０２）。記録媒体が接続されている場合（ステップＳ４０２／ＹＥＳ）は、記録媒体に記憶された自動倍率設定モードへ遷移し（ステップＳ４０６）、記録媒体に記憶された倍率の最小値設定、最大集約枚数制限値、出力用紙サイズ情報を反映させる。ここでは、倍率の最小値は５０％、最大集約枚数は３枚、出力用紙サイズはＡ４である場合を例に挙げて説明する。
【００２９】
次に、スキャナユニット１０１から、５枚の原稿を読み込ませ（ステップＳ４０７）、原稿画像サイズの検出を行う（ステップＳ４０８）。ここで、複写機がＡＤＦを備える場合には、ＡＤＦに原稿をセットして、操作部１０５からスタートボタンを押すことで、原稿を読み込ませても良い。また、１枚１枚原稿台に設置して、操作部１０５からスタートボタンを押すことで読み込ませて良い。１枚１枚読み込ませる場合には、一連の原稿の最後を知らせる必要があるので、最後の原稿を読み込ませた後、操作部１０５から最後の原稿を読み込ませたことを示すキーを押す。
【００３０】
上記のように、５枚の原稿を読み込ませ、画像処理ユニット１０２に画像データを送信する。画像データを受信した画像処理ユニット１０２は、公知の画像処理を行い（ステップＳ４０９）、コントローラ１０４に原稿画像のサイズ情報とともに画像データを送る。原稿のサイズ情報等の画像情報を受信したコントローラ１０４では、まず、ＲＡＭ２０３及びＨＤＤ２０５に画像情報を記憶させる（ステップＳ４１０）。
【００３１】
次に、一連の原稿の最後を知らせる信号を検知したか否かを判断する（ステップＳ４１１）。最後の原稿を知らせる信号を検知しない場合は（ステップＳ４１１／ＮＯ）、原稿がなくなるまで上述したステップＳ４０７〜ステップＳ４１１の処理を繰り返し行う。一方、最後の原稿を知らせる信号を検知した場合（ステップＳ４１１／ＹＥＳ）は、それまで受け取った原稿のサイズ情報と、上記ステップＳ４０６で遷移した記録媒体に記憶された情報に基づき設定された倍率の最小値設定（５０％）、最大集約枚数設定（３枚）、出力用紙サイズ（Ａ４）の情報から倍率を決定する（ステップＳ４１２）。
【００３２】
ここで、説明を簡潔にするために、読み込んだ原稿のサイズの最大値サイズをＡ４であるとすると、出力と最大原稿サイズが同一であるので、その他の条件だけを変更すればよい。倍率の最小値設定（５０％）、最大集約枚数設定（３枚）を、出力用紙を最大に使用する条件で満たすものは、５０％の縮小率となるので、そのことをコントローラ１０４が判断し、５０％に縮小して、２枚の原稿を１枚に集約して出力する（ステップＳ４１３）。
【００３３】
上記ステップＳ４０２で記録媒体が接続されていないと判断された場合（ステップＳ３０２／ＮＯ）には、上述した実施形態１と同様の処理を行う。
【００３４】
以上により、操作部１０５からの指示なしに、ユーザの所望する集約印刷が、直接倍率を設定することなく実行することが可能となる。また、接続された記録媒体がある場合には、その記録媒体に記録された情報に基づいて集約印刷を行うため、集約印刷の操作が容易となり、操作性が向上する。
【００３５】
尚、本実施形態では、接続された記録媒体がある場合には、自動的に記録媒体の自動倍率設定モードへ移行する例について説明したが、記録媒体の自動倍率設定モードへ移行するか否かをユーザに判断させるようにしてもよい。
【００３６】
また、操作部１０５においてユーザが入力した倍率の最小値、最大集約枚数などの情報を画像処理装置に記憶しておくように設定することも可能であり、ユーザは所望する設定を記憶させることが可能となり、操作性がより向上する。
【００３７】
また、記録媒体に複数の縮小倍率の制限に関する情報や、出力用紙に関する情報が記憶されている場合には、操作部１０５において、ユーザにどの設定値を利用するかを選択させるようにすることも可能である。これにより、用途に応じて使い分けをすることが可能となり、操作性をより向上させることが可能となる。
【００３８】
また、複数の記録媒体が接続されている場合には、適切なものをユーザに選ばせるようにしてもよいし、さらには、複数の記録媒体から自動的に選択するようにすることも可能である。
【００３９】
さらに、本実施形態では、一連のコピー動作における倍率を同一の値で実施することで、ページ毎に倍率がばらばらになり、見栄えが悪くなってしまうとこと防ぐことが可能となる。
【００４０】
尚、上述した実施形態１及び実施形態２の例では、原稿画像に対する出力画像の倍率の最小制限設定値として、縮小率の最小値を設定する例について説明したが、拡大率の最小値も設定するようにすることも可能である。
【００４１】
尚、各図のフローチャートに示す処理を、ＣＰＵ２０１が実行するためのプログラムは本発明によるプログラムを構成する。このプログラムを記録するコンピュータ読取可能な記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００４２】
以上好適な実施の形態に基づき具体的に説明したが、本発明は上述した画像処理装置、その方法、プログラム及びコンピュータ読取可能な記録媒体に限定されるものではなく、その要旨を逸脱しない範囲で種々変更可能であるということは言うまでもない。
【図面の簡単な説明】
【００４３】
【図１】本実施形態に係る画像処理装置の構成例を示すブロック図である。
【図２】本実施形態に係る画像処理装置のコントローラの構成例を示す図である。
【図３】本実施形態に係る画像処理装置において、複数枚の原稿を集約コピーする場合の処理の流れの例を示すフローチャートである。
【図４】本実施形態に係る画像処理装置において、記録媒体に記憶された情報に基づき、複数枚の原稿を集約コピーする場合の処理の流れの例を示すフローチャートである。
【符号の説明】
【００４４】
１０１    スキャナユニット
１０２    画像処理ユニット
１０３    書込み処理装置
１０４    コントローラ
１０５    操作部
２０１    ＣＰＵ
２０２    コントローラＡＳＩＣ
２０３    ＲＡＭ
２０４    ＲＯＭ
２０５    ＨＤＤ
２０６    ネットワークＩ／Ｆ
２０７    操作部Ｉ／Ｆ
２０８    ＵＳＢ Ｉ／Ｆ
【図１】
2010004466.tif 000003
【図２】
2010004466.tif 000004
【図３】
2010004466.tif 000005
【図４】
2010004466.tif 000006